Podtech/llm-jp-corpus-v4-ja_patent huggingface dataset:
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
録画装置であって、
放送信号で送信される番組コンテンツを録画して、蓄積部に蓄積する蓄積手段と、
前記蓄積部内の複数の番組コンテンツの中から、複数のチャンネルで同じ時間帯に放送され、かつ互いに関連する複数のコンテンツで構成されるマルチ編成コンテンツを選択する選択手段と、
前記選択手段により選択された前記マルチ編成コンテンツを構成する一部のチャンネルのコンテンツのデータを前記蓄積部から消去する消去手段と、を備える録画装置。
【請求項２】
さらに、前記蓄積部の残容量を管理する管理手段を備え、
前記選択手段は、前記蓄積部の残容量が所定値よりも少なくなった場合に、前記蓄積部内の複数の番組コンテンツの中から前記マルチ編成コンテンツを検索して、少なくとも一つの前記マルチ編成コンテンツを選択することを特徴とする請求項１に記載の録画装置。
【請求項３】
さらに、前記蓄積部に蓄積された複数の番組コンテンツのうち前記マルチ編成コンテンツを識別可能なように提示する提示手段を備え、
前記選択手段は、ユーザによる選択指示を受けて、前記提示手段により提示された前記マルチ編成コンテンツを選択することを特徴とする請求項１に記載の録画装置。
【請求項４】
前記消去手段は、前記マルチ編成コンテンツを構成するメインチャンネルのコンテンツとサブチャンネルのコンテンツうち、サブチャンネルのコンテンツのデータを前記蓄積部から消去することを特徴とする請求項１から請求項３までのいずれか１項に記載の録画装置。
【請求項５】
前記消去手段は、前記マルチ編成コンテンツを構成する複数のチャンネルのコンテンツのうち、ユーザに指定されたチャンネルのコンテンツのデータを前記蓄積部から消去することを特徴とする請求項１から請求項３までのいずれか１項に記載の録画装置。
【請求項６】
前記消去手段は、前記マルチ編成コンテンツを構成する複数のチャンネルのコンテンツのうち、ユーザの嗜好度の低いチャンネルのコンテンツのデータを前記蓄積部から消去することを特徴とする請求項１から請求項３までのいずれか１項に記載の録画装置。
【請求項７】
前記選択手段は、前記蓄積部内に前記マルチ編成コンテンツが複数ある場合、複数の前記マルチ編成コンテンツのうち放送日時の古いマルチ編成コンテンツを選択することを特徴とする請求項１に記載の録画装置。
【請求項８】
前記選択手段は、前記蓄積部内に前記マルチ編成コンテンツが複数ある場合、複数の前記マルチ編成コンテンツのうちユーザによって指定されたマルチ編成コンテンツを選択することを特徴とする請求項１に記載の録画装置。
【請求項９】
録画装置の制御方法であって、
放送信号で送信される番組コンテンツを録画して、蓄積部に蓄積する蓄積ステップと、
前記蓄積部内の複数の番組コンテンツの中から、複数のチャンネルで同じ時間帯に放送され、かつ互いに関連する複数のコンテンツで構成されるマルチ編成コンテンツを選択する選択ステップと、
前記選択ステップで選択された前記マルチ編成コンテンツを構成する一部のチャンネルのコンテンツのデータを前記蓄積部から消去する消去ステップと、を有する録画装置の制御方法。
【手続補正２】
【補正対象書類名】明細書
【補正対象項目名】００１０
【補正方法】変更
【補正の内容】
【００１０】
上述した課題を解決するために、本発明に係る録画装置は、録画装置であって、放送信号で送信される番組コンテンツを録画して、蓄積部に蓄積する蓄積手段と、前記蓄積部内の複数の番組コンテンツの中から、複数のチャンネルで同じ時間帯に放送され、かつ互いに関連する複数のコンテンツで構成されるマルチ編成コンテンツを選択する選択手段と、前記選択手段により選択された前記マルチ編成コンテンツを構成する一部のチャンネルのコンテンツのデータを前記蓄積部から消去する消去手段と、を備える。
【手続補正３】
【補正対象書類名】明細書
【補正対象項目名】００１１
【補正方法】変更
【補正の内容】
【００１１】
また、本発明に係る録画装置の制御方法は、録画装置の制御方法であって、放送信号で送信される番組コンテンツを録画して、蓄積部に蓄積する蓄積ステップと、前記蓄積部内の複数の番組コンテンツの中から、複数のチャンネルで同じ時間帯に放送され、かつ互いに関連する複数のコンテンツで構成されるマルチ編成コンテンツを選択する選択ステップと、前記選択ステップで選択された前記マルチ編成コンテンツを構成する一部のチャンネルのコンテンツのデータを前記蓄積部から消去する消去ステップと、を有する。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
複数行及び複数列に配列され、それぞれが入射した光の量に応じた量の電荷を蓄積する複数の画素と、
入力される駆動パルスに応じたタイミングで、前記複数の画素に蓄積された電荷を転送する転送手段と、
前記駆動パルスを生成し、前記転送手段に供給する駆動手段と、
前記駆動手段による前記駆動パルスの生成を制御する制御手段と
を有する撮像装置において、
前記制御手段は、前記駆動手段による前記駆動パルスの生成を制御することによって、撮像モードを通常モード又は画素加算モードに切り換え可能であり、
前記通常モードにおいて、前記転送手段は、前記複数の画素の各々に蓄積された電荷に応じた値の撮像信号を順次出力する手段であり、
前記画素加算モードにおいて、前記転送手段は、前記複数の画素の内の隣接する水平方向の隣接２画素を含む所定数の画素の電荷を加算し、前記加算された電荷に応じた値の撮像信号を、前記所定数の画素の中から選択された画素の撮像信号として出力し、且つ、前記加算された電荷に応じた値の撮像信号の出力が１フレーム分終了するごとに、前記撮像信号が出力される前記選択された画素の位置を切り換える手段である
ことを特徴とする撮像装置。
【請求項２】
前記転送手段は、
前記複数の画素の内の第１の方向に並ぶ画素から読み出された電荷を第１の方向に転送する第１の転送手段と、
前記第１の転送手段から出力された電荷を前記第１の方向に直交する第２の方向に転送する第２の転送手段と
を有することを特徴とする請求項１に記載の撮像装置。
【請求項３】
前記所定数の画素は、同一色の光が入射する複数の画素であることを特徴とする請求項１又は２に記載の撮像装置。
【請求項４】
被写体の明るさを検出する明るさ検出手段を有し、
前記制御手段は、前記明るさ検出手段の検出信号に基づいて、撮像モードを前記通常モード又は前記画素加算モードのいずれかに切り換える
ことを特徴とする請求項１乃至３のいずれか１項に記載の撮像装置。
【請求項５】
前記制御手段は、前記明るさ検出手段の検出信号に基づいて、前記画素加算モードにおいて画素が加算される前記所定数の画素の数を増やすことを特徴とする請求項４に記載の撮像装置。
【手続補正２】
【補正対象書類名】明細書
【補正対象項目名】０００６
【補正方法】変更
【補正の内容】
【０００６】
本発明に係る撮像装置は、複数行及び複数列に配列され、それぞれが入射した光の量に応じた量の電荷を蓄積する複数の画素と、入力される駆動パルスに応じたタイミングで、前記複数の画素に蓄積された電荷を転送する転送手段と、前記駆動パルスを生成し、前記転送手段に供給する駆動手段と、前記駆動手段による前記駆動パルスの生成を制御する制御手段とを有する撮像装置であって、前記制御手段は、前記駆動手段による前記駆動パルスの生成を制御することによって、撮像モードを通常モード又は画素加算モードに切り換え可能であり、前記通常モードにおいて、前記転送手段は、前記複数の画素の各々に蓄積された電荷に応じた値の撮像信号を順次出力する手段であり、前記画素加算モードにおいて、前記転送手段は、前記複数の画素の内の隣接する水平方向の隣接２画素を含む所定数の画素の電荷を加算し、前記加算された電荷に応じた値の撮像信号を、前記所定数の画素の中から選択された画素の撮像信号として出力し、且つ、前記加算された電荷に応じた値の撮像信号の出力が１フレーム分終了するごとに、前記撮像信号が出力される前記選択された画素の位置を切り換える手段であることを特徴とする。
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
レンズから入射した光を電気信号に変換する撮像素子と、
前記撮像素子の出力に基づいて撮影画面内の被写体を検出する被写体検出手段と、
前記撮影画面を複数に分割した各分割領域の測光結果に基づいて測光値を演算する演算手段と、
前記演算手段により演算された測光値に基づいて露出制御を行う露出制御手段と、を有し、
前記露出制御手段は、前記被写体検出手段により複数の被写体が検出され、当該複数の被写体が前記撮影画面内の輝度が閾値以上の領域と輝度が閾値未満の領域とにそれぞれ存在する場合、輝度が閾値以上の領域に存在する被写体の測光値に対する重み付けを輝度が閾値未満の領域に存在する被写体の測光値に対する重み付けよりも相対的に大きくして露出制御を行うことを特徴とする撮像装置。
【請求項２】
前記露出制御手段は、前記被写体検出手段により複数の被写体が検出され、当該複数の被写体が前記撮影画面内の輝度が閾値以上の領域と輝度が閾値未満の領域とにそれぞれ存在する状態から、輝度が閾値未満の領域に被写体は検出されているが輝度が閾値以上の領域から被写体が検出されなくなった場合、被写体が検出されなくなる前の輝度が閾値以上の領域に存在する被写体の測光値に対する重み付けを輝度が閾値未満の領域に存在する被写体の測光値に対する重み付けよりも相対的に大きくして露出制御を行うことを特徴とする請求項１に記載の撮像装置。
【請求項３】
前記露出制御手段は、輝度が閾値未満の領域に存在する被写体の測光値は用いないことで、輝度が閾値以上の領域に存在する被写体の測光値に対する重み付けを輝度が閾値未満の領域に存在する被写体の測光値に対する重み付けよりも相対的に大きくすることを特徴とする請求項１または２に記載の撮像装置。
【請求項４】
前記露出制御手段は、前記被写体検出手段により複数の被写体が検出され、当該複数の被写体が前記撮影画面内の輝度が閾値以上の領域と輝度が閾値未満の領域とにそれぞれ存在する状態から、輝度が閾値未満の領域に被写体は検出されているが輝度が閾値以上の領域から被写体が検出されなくなった場合、輝度が閾値以上の領域から被写体が検出されなくなってから所定時間が経過するまでは被写体が検出されなくなる前の輝度が閾値以上の領域に存在する被写体の測光値を用い、輝度が閾値以上の領域から被写体が検出されなくなってから所定時間が経過すると輝度が閾値未満の領域に存在する被写体の測光値を用いて露出制御を行うことを特徴とする請求項３に記載の撮像装置。
【請求項５】
前記露出制御手段は、前記露出制御手段は、前記被写体検出手段により複数の被写体が検出され、当該複数の被写体が前記撮影画面内の輝度が閾値以上の領域と輝度が閾値未満の領域とにそれぞれ存在する状態から、輝度が閾値未満の領域に被写体は検出されているが輝度が閾値以上の領域から被写体が検出されなくなった場合、輝度が閾値以上の領域から被写体が検出されなくなってから所定時間が経過すると、輝度が閾値未満の領域に存在する被写体であって、輝度が閾値以上の領域に最も近い位置に存在する被写体の測光値を用いて露出制御を行うことを特徴とする請求項４に記載の撮像装置。
【請求項６】
前記露出制御手段は、前記検出手段により被写体が検出されない場合、輝度が閾値以上の領域の測光値を用いて露出制御を行うことを特徴とする請求項１ないし５のいずれか１項に記載の撮像装置。
【請求項７】
撮像装置の制御方法であって、
前記撮像装置の撮像素子からの出力に基づいて撮影画面内の被写体を検出する被写体検出ステップと、
前記撮影画面を複数に分割した各分割領域の測光結果に基づいて測光値を演算する演算ステップと、
前記演算ステップで演算された測光値に基づいて露出制御を行う露出制御ステップと、を有し、
前記露出制御ステップは、前記被写体検出ステップで複数の被写体が検出され、当該複数の被写体が前記撮影画面内の輝度が閾値以上の領域と輝度が閾値未満の領域とにそれぞれ存在する場合、輝度が閾値以上の領域に存在する被写体の測光値に対する重み付けを輝度が閾値未満の領域に存在する被写体の測光値に対する重み付けよりも相対的に大きくして露出制御を行うことを特徴とする撮像装置の制御方法。
【手続補正２】
【補正対象書類名】明細書
【補正対象項目名】０００５
【補正方法】変更
【補正の内容】
【０００５】
本発明の撮像装置は、レンズから入射した光を電気信号に変換する撮像素子と、前記撮像素子の出力に基づいて撮影画面内の被写体を検出する被写体検出手段と、前記撮影画面を複数に分割した各分割領域の測光結果に基づいて測光値を演算する演算手段と、前記演算手段により演算された測光値に基づいて露出制御を行う露出制御手段と、を有し、前記露出制御手段は、前記被写体検出手段により複数の被写体が検出され、当該複数の被写体が前記撮影画面内の輝度が閾値以上の領域と輝度が閾値未満の領域とにそれぞれ存在する場合、輝度が閾値以上の領域に存在する被写体の測光値に対する重み付けを輝度が閾値未満の領域に存在する被写体の測光値に対する重み付けよりも相対的に大きくして露出制御を行うことを特徴とする。
【手続補正書】
【提出日】平成24年3月23日(2012.3.23)
【手続補正１】
【補正対象書類名】明細書
【補正対象項目名】００６３
【補正方法】変更
【補正の内容】
【００６３】
台車Ｄは、継ぎ目Ｊに跨った状態でその継ぎ目Ｊの長手方向に沿って走行可能な４輪の手押し車である。台車ＤのフレームＤ１の四隅下部には、サスペンションＳを介して車輪Ｗが支持されている。フレームＤ１の上部には、ハンドルＨが設けられている。ハンドルＨには、使用者が操作するための入力キーや操作スイッチとともに制御部８が設けられている。厚み寸法大の鋼板Ｂ１上に配置されるフレームＤ１の片側には、引き上げ機構Ｔ４を介して第１の支持体５が支持されている。引き上げ機構Ｔ４は、モータ４２によって駆動される電動機構である。この引き上げ機構Ｔ４が設けられたフレームＤ１の片側には、引き上げ機構Ｔ４に含まれる送りネジ軸４０およびモータ４２が設けられている。このような台車Ｄを段差がある２つの鋼板Ｂ１，Ｂ２上に継ぎ目Ｊを跨ぐように置いた場合、継ぎ目Ｊの両側のサスペンションＳに段差の分だけ伸縮差が生じるため、停止時や走行時における台車Ｄの姿勢が安定させられ、全体として台車Ｄが傾くことはない。
【手続補正２】
【補正対象書類名】明細書
【補正対象項目名】００６４
【補正方法】変更
【補正の内容】
【００６４】
第１支持体５は、引き上げ機構Ｔ４を介して台車ＤのフレームＤ１に支持されている。第１支持体５の側部５３には、ナットブロック４１が一体的に設けられている。このナットブロック４１は、送りネジ軸４０に螺合させられている。第１支持体５のフランジ部５０には、支持具Ｔを介して第１の電磁石Ｍ１が支持されているとともに、この電磁石Ｍ１の吸着面Ｍ１ａと揃うように位置検出センサ９’が支持されており、さらには継ぎ目Ｊに沿うように倣い機構Ｆが設けられている。倣い機構Ｆは、継ぎ目Ｊの長手方向に沿って台車Ｄを真っ直ぐ走行させるためのものであり、台車Ｄの走行方向前後の２箇所に設けられている。このような倣い機構Ｆには、継ぎ目Ｊに追従して回転するガイドローラ７０、このガイドローラ７０を下端に支持する揺動アーム７１、および揺動アーム７１の振れ角に応じてガイドローラ７０の倣い状態を確認する倣い確認センサ（図示略）が含まれる。たとえば揺動アーム７１の振れ角が許容範囲外になると、その旨を示す信号が倣い確認センサから制御部８に入力され、制御部８は、ガイドローラ７０が継ぎ目Ｊから外れている旨を音や光によって使用者に報知する。制御部８には、第１および第２の電磁石Ｍ１，Ｍ２、モータ３２，４２、倣い機構Ｆ、位置検出センサ９，９’、ならびに倣い確認センサが電気的に接続されている。
【手続補正３】
【補正対象書類名】図面
【補正対象項目名】図１
【補正方法】変更
【補正の内容】
【図１】
2010269313.tif 000001
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
（ｉ）凹凸を有し、フッ素官能基を有する紫外線硬化型のオリゴマーおよび／またはフッ素官能基を有する紫外線硬化型のモノマーを構成要素とする樹脂を含む塗膜であり、かつ前記樹脂が固形分換算で０．０２質量％〜０．１質量％のフッ素を含む表面クリア層、
（ｉｉ）アミノ基含有（メタ）アクリル系ポリマー、カルボキシル基含有（メタ）アクリル系ポリマー及び架橋剤を含み、かつ一方のポリマーの重量平均分子量が４万〜２０万でガラス転移温度が２０℃以上であり、他方のポリマーの重量平均分子量が４０万〜１００万でガラス転移温度が０℃以下である（メタ）アクリル系ポリマーを含むフィルム形成樹脂からなるクリアフィルム層、
（ｉｉｉ）ベースフィルム層、及び
（ｉｖ）粘着剤層
からなる筆記シート。
【請求項２】
前記フッ素官能基を有する紫外線硬化型のオリゴマーが、アクリル系オリゴマーまたはアクリルウレタン系オリゴマーである請求項１に記載の筆記シート。
【請求項３】
前記クリアフィルム層が、 重量平均分子量が４万〜２０万でガラス転移温度が２０℃以上のアミノ基含有（メタ）アクリル系ポリマー、重量平均分子量が４０万〜１００万でガラス転移温度が０℃以下のカルボキシル基含有（メタ）アクリル系ポリマー、及び架橋剤を含む（メタ）アクリル系ポリマーからなる請求項１または２に記載の筆記シート。
【請求項４】
前記凹凸が、エンボス加工によるものである請求項１〜３のいずれか一項に記載の筆記シート。
【請求項５】
前記表面クリア層表面の６０度鏡面光沢度が３０％以下である請求項１〜４のいずれか一項に記載の筆記シート。
【手続補正書】
【提出日】平成24年8月9日(2012.8.9)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】０００１
【補正方法】変更
【補正の内容】
【０００１】
本発明は、記録ヘッドを用いて画像を記録媒体上に記録するための画像処理装置及び画像処理方法に関する。
【手続補正３】
【補正対象書類名】明細書
【補正対象項目名】００１７
【補正方法】変更
【補正の内容】
【００１７】
上記課題を解決するため、本発明に係る画像処理装置は、一次元に配列された複数の記録素子で構成される第１の記録素子列と、当該第１の記録素子列と平行であって、一部が重複して配列された複数の記録素子で構成される第２の記録素子列とを有する記録ヘッドを、記録媒体に対し、前記記録素子の並び方向に対して直交する方向に相対的に移動させることで画像を前記記録媒体上に形成するための画像処理装置であって、前記第１、第２の記録素子列の重複領域で記録される多値画像データの各画素データに対して、前記第１、第２の記録素子列の非重複領域で記録される濃度と前記第１、第２の記録素子列の重複領域で記録される濃度との差を補正する補正手段と、前記補正手段により補正された各画素データを、前記第１、第２の記録素子列で記録するための画素データに分解する分解手段と、前記分解手段で分解された画素データのうち、前記第１、第２の記録素子列で記録される画素データから、前記第１、第２の記録素子列が記録するドットパターンを生成する生成手段とを有し、前記第１、第２の記録素子列の重複領域において、前記第１の記録素子列が記録するドットパターンの位相と前記第２の記録素子列が記録するドットパターン位相は、低周波領域で逆位相であることを特徴とする。
【手続補正４】
【補正対象書類名】特許請求の範囲
【補正対象項目名】全文
【補正方法】変更
【補正の内容】
【特許請求の範囲】
【請求項１】
一次元に配列された複数の記録素子で構成される第１の記録素子列と、当該第１の記録素子列と平行であって、一部が重複して配列された複数の記録素子で構成される第２の記録素子列とを有する記録ヘッドを、記録媒体に対し、前記記録素子の並び方向に対して直交する方向に相対的に移動させることで画像を前記記録媒体上に形成するための画像処理装置であって、
前記第１、第２の記録素子列の重複領域で記録される多値画像データの各画素データに対して、前記第１、第２の記録素子列の非重複領域で記録される濃度と前記第１、第２の記録素子列の重複領域で記録される濃度との差を補正する補正手段と、
前記補正手段により補正された各画素データを、前記第１、第２の記録素子列で記録するための画素データに分解する分解手段と、
前記分解手段で分解された画素データのうち、前記第１、第２の記録素子列で記録される画素データから、前記第１、第２の記録素子列が記録するドットパターンを生成する生成手段とを有し、
前記第１、第２の記録素子列の重複領域において、前記第１の記録素子列が記録するドットパターンの位相と前記第２の記録素子列が記録するドットパターン位相は、低周波領域で逆位相であることを特徴とする画像処理装置。
【請求項２】
前記生成手段は、前記第１の記録素子列で記録される画素データから前記第１の記録素子列が記録するドットパターンを生成した後、前記第１の記録素子列が記録するドットパターンに対してローパスフィルタによるフィルタ処理を行った結果に基づいて、前記第２の記録素子列で記録される画素データから前記第２の記録素子列が記録するドットパターンを生成することを特徴とすることを特徴とする請求項１に記載の画像処理装置。
【請求項３】
予め設定された濃度の多値画像データをテスト記録するテスト記録手段と、
前記テスト記録手段で記録した記録媒体を読み取る読取手段と、
読み取った画像データの濃度分布に従って、補正テーブルを生成するテーブル生成手段と、を更に備え、
前記補正手段は、前記テーブル生成手段で生成された補正テーブルに従って、画素データを補正することを特徴とする請求項１又は２に記載の画像処理装置。
【請求項４】
前記第１の記録素子列の重複領域に位置する着目記録素子が記録するドットと、前記第２の記録素子列の重複領域に位置し、前記着目記録素子に隣り合う記録素子が記録するドットとが重なる回数をカウントするカウント手段と、
前記カウント手段でカウントされた回数が大きい記録ラインほどドット数が大きくなるように濃度補正値を推定する推定手段と、を更に備え、
前記補正手段は、前記推定手段で推定された濃度補正値に従って、画素データを補正することを特徴とする請求項１又は２に記載の画像処理装置。
【請求項５】
複数の補正テーブルを記憶する記憶手段と、
前記記憶手段に記憶された複数の補正テーブルから１つの補正テーブルを選択するテーブル選択手段と、を更に備え、
前記補正手段は、前記テーブル選択手段で選択された補正テーブルに従って、画素データを補正することを特徴とする請求項１又は２に記載の画像処理装置。
【請求項６】
前記補正手段は、前記多値画像データの画素値を各画素毎に補正可能であって、画素の階調及び当該画素を形成する記録素子の位置の少なくともいずれか一方に応じて、各画素の画素値を補正することを特徴とする請求項１又は２に記載の画像処理装置。
【請求項７】
前記記録ヘッドは、前記記録媒体に対して、前記直交する方向の全域に渡る記録領域を有することを特徴とする請求項１乃至６のいずれか１項に記載の画像処理装置。
【請求項８】
前記記録ヘッドは、前記記録媒体の走査及び搬送を繰り返して記録を行うことを特徴とする請求項１乃至７のいずれか１項に記載の画像処理装置。
【請求項９】
一次元に配列された複数の記録素子で構成される第１の記録素子列と、当該第１の記録素子列と平行であって、一部が重複して配列された複数の記録素子で構成される第２の記録素子列とを有する記録ヘッドを、記録媒体に対し、前記記録素子の並び方向に対して直交する方向に相対的に移動させることで画像を前記記録媒体上に形成するための画像処理方法であって、
前記第１、第２の記録素子列の重複領域で記録される多値画像データの各画素データに対して、前記第１、第２の記録素子列の非重複領域で記録される濃度と前記第１、第２の記録素子列の重複領域で記録される濃度との差を補正する補正工程と、
前記補正工程により補正された各画素データを、前記第１、第２の記録素子列で記録するための画素データに分解する分解工程と、
前記分解工程で分解された画素データのうち、前記第１、第２の記録素子列で記録される画素データから、前記第１、第２の記録素子列が記録するドットパターンを生成する生成工程とを有し、
前記第１、第２の記録素子列の重複領域において、前記第１の記録素子列が記録するドットパターンの位相と前記第２の記録素子列が記録するドットパターン位相は、低周波領域で逆位相であることを特徴とする画像処理方法。
【請求項１０】
コンピュータに読み込ませ実行させることで、前記コンピュータを、請求項１乃至８のいずれか１項に記載の画像処理装置として機能させることを特徴とするコンピュータプログラム。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
支持部と、
前記支持部の上に設けられ、ワークが載置される吸着部と、
前記支持部と前記吸着部との間に一体的に設けられたバキュームホールと、
前記吸着部に形成され、前記バキュームホールに連通する吸着用吸引穴と、
前記支持部に形成され、前記バキュームホールに連通して排気手段に接続される排気口と、
前記バキュームホールの外形を構成する辺のうち、屈曲部を形成する２辺の内壁ラインに沿って前記吸着部に設けられ、前記バキュームホールに連通する位置決め用吸引穴と、
前記吸着部上の前記２辺の内壁ラインの外側に設けられ、前記ワークを位置決めするためのガイド部材とを有することを特徴とする真空チャック装置。
【請求項２】
前記位置決め用吸引穴は、前記バキュームホールの内壁ラインの上に配置され、前記位置決め用吸引穴内の下に前記内壁ラインが配置されていることを特徴とする請求項１に記載の真空チャック装置。
【請求項３】
前記位置決め用吸引穴の開口端の内周面と前記バキュームホールの内壁ラインとが接していることを特徴とする請求項１に記載の真空チャック装置。
【請求項４】
前記バキュームホールは四角状であり、
前記位置決め用吸引穴は、前記バキュームホールの一つの頂点を形成する２辺の前記内壁ラインがなす角度の２等分線を対称軸として対称に配置されていることを特徴とする請求項１乃至３のいずれか一項に記載の真空チャック装置。
【請求項５】
前記位置決め用吸引穴が配置された前記バキュームホールの２辺の内壁ラインの外側のみに、前記ガイド部材として複数のガイドピンがそれぞれ配置されていることを特徴とする請求項１乃至３のいずれか一項に記載の真空チャック装置。
【請求項６】
ワークが載置される領域の取り付けベースに設けられた、請求項１乃至５のいずれかの真空チャック装置と、
前記バキュームホールを減圧する真空ポンプと、
前記ワークを加工する切削工具とを有することを特徴する加工装置。
【手続補正２】
【補正対象書類名】明細書
【補正対象項目名】０００９
【補正方法】変更
【補正の内容】
【０００９】
上記課題を解決するため、本発明は真空チャック装置に係り、支持部と、前記支持部の上に設けられ、ワークが載置される吸着部と、前記支持部と前記吸着部との間に一体的に設けられたバキュームホールと、前記吸着部に形成され、前記バキュームホールに連通する吸着用吸引穴と、前記支持部に形成され、前記バキュームホールに連通して排気手段に接続される排気口と、前記バキュームホールの外形を構成する辺のうち、屈曲部を形成する２辺の内壁ラインに沿って前記吸着部に設けられ、前記バキュームホールに連通する位置決め用吸引穴と、前記吸着部上の前記２辺の内壁ラインの外側に設けられ、前記ワークを位置決めするためのガイド部材とを有することを特徴とする。
【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、
前記Ｘ線源に対向配置され前記被検体を透過したＸ線を検出するＸ線検出器と、
前記Ｘ線源と前記Ｘ線検出器の間に配置される前記被検体を前記被検体の体軸方向に移動させる寝台と、
前記被検体の体軸方向に前記寝台を移動させながら、前記Ｘ線源から前記被検体にＸ線を照射させ、前記Ｘ線検出器により検出された前記被検体を透過したＸ線をＸ線透過データとして収集し、収集された前記Ｘ線透過データに基づいて前記被検体のスキャノグラム像を生成するスキャノグラム像生成手段を備えたＸ線ＣＴ装置であって、
前記スキャノグラム像生成手段は前記寝台の等速期間とともに加速期間または減速期間においてもＸ線透過データを収集することを特徴とするＸ線ＣＴ装置。
【請求項２】
請求項１に記載のＸ線ＣＴ装置において、
前記スキャノグラム像生成手段は前記寝台の加速期間または減速期間の移動速度に応じてＸ線透過データを収集するタイミングを制御することを特徴とするＸ線ＣＴ装置。
【請求項３】
請求項２に記載のＸ線ＣＴ装置において、
前記寝台の移動速度に応じて前記Ｘ線源が照射するＸ線量を制御する制御手段をさらに備えることを特徴とするＸ線ＣＴ装置。
【請求項４】
請求項３に記載のＸ線ＣＴ装置において、
前記制御手段は、前記寝台が等距離移動する間に被検体に照射されるＸ線量が実質的に等しくなるように加速期間または減速期間に前記Ｘ線源が照射するＸ線量を制御することを特徴とするＸ線ＣＴ装置。
【請求項５】
請求項２に記載のＸ線ＣＴ装置において、
前記スキャノグラム像生成手段が生成したスキャノグラム像を表示する表示装置をさらに備え、
前記表示装置は、前記スキャノグラム像とともに前記寝台の移動速度の速度カーブを表示することを特徴とするＸ線ＣＴ装置。
【請求項６】
請求項３に記載のＸ線ＣＴ装置において、
前記スキャノグラム像生成手段が生成したスキャノグラム像を表示する表示装置をさらに備え、
前記表示装置は、前記スキャノグラム像とともに前記Ｘ線源を流れるＸ線管電流の波形を表示することを特徴とするＸ線ＣＴ装置。
【手続補正２】
【補正対象書類名】明細書
【補正対象項目名】０００７
【補正方法】変更
【補正の内容】
【０００７】
上記目的を達成するために、本発明は、被検体にX線を照射するX線源と、前記X線源に対向配置され前記被検体を透過したX線を検出するX線検出器と、前記X線源と前記X線検出器の間に配置される前記被検体を前記被検体の体軸方向に移動させる寝台と、前記被検体の体軸方向に前記寝台を移動させながら、前記X線源から前記被検体にX線を照射させ、前記X線検出器により検出された前記被検体を透過したX線をX線透過データとして収集し、収集された前記X線透過データに基づいて前記被検体のスキャノグラム像を生成するスキャノグラム像生成手段を備えたX線CT装置であって、前記スキャノグラム像生成手段は前記寝台の等速期間とともに加速期間または減速期間においてもＸ線透過データを収集することを特徴とする。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
音響波を電気信号に変換する複数の素子が少なくとも第１の方向に沿って配列されている探触子と、
前記探触子を被検体の表面に沿って前記第１の方向に交差する第２の方向に移動する移動機構と、
前記第２の方向に沿った各位置において、前記複数の素子で得られた信号を整相加算して第１の加算信号を出力する第１の整相加算回路と、
前記第１の整相加算回路の出力を１以上の遅延回路に通過させることにより、異なる位置で得られた複数の第１の加算信号を並列に出力する信号切り出し回路と、
前記信号切り出し回路から出力される複数の第１の加算信号を整相加算して第２の加算信号を出力する第２の整相加算回路と、
前記第２の加算信号を用いて被検体内部の画像を生成する画像処理回路と、
を備えることを特徴とする超音波装置。
【請求項２】
電子走査により、前記第１の方向に平行で、かつ、前記第２の方向に交差するスライス面内の複数の位置に対応する第１の加算信号が得られることを特徴とする請求項１に記載の超音波装置。
【請求項３】
前記遅延回路の遅延時間が、一スライス面の走査期間に対応する時間に設定されていることを特徴とする請求項２に記載の超音波装置。
【請求項４】
前記第２の整相加算回路が複数設けられており、
前記複数の第２の整相加算回路は、整相加算の基準となる焦点の位置が互いに異なっていることを特徴とする請求項１〜３のいずれかに記載の超音波装置。
【請求項５】
前記第１の整相加算回路と前記第２の整相加算回路の一方または両方は、整相加算する際に、各信号に対し該信号が得られた位置に応じた重みを付けることを特徴とする請求項１〜４のいずれかに記載の超音波装置。
【請求項６】
前記音響波は、前記素子から送信された超音波が被検体内部で反射されて生じたエコー信号であることを特徴とする請求項１〜５のいずれかに記載の超音波装置。
【請求項７】
前記音響波は、電磁波の照射によって被検体内部に誘起される光音響波であることを特徴とする請求項１に記載の超音波装置。
【手続補正書】
【提出日】平成24年4月25日(2012.4.25)
【手続補正１】
【補正対象書類名】特許請求の範囲
【補正対象項目名】請求項１
【補正方法】変更
【補正の内容】
【請求項１】
検査対象の内部を画像化する撮像手段と、前記撮像手段が撮像した画像から映像信号を作成する画像処理手段と、前記映像信号を記録する記録手段とを備えた画像診断装置であって、
前記記録手段は、前記撮像手段を操作する操作者及び前記検査対象の、撮像中における動作及び／又は操作に関する非映像情報を記録する非映像情報記録手段を備え、前記非映像情報記録手段が記録した非映像情報と前記映像信号とを用いて動画ファイルを作成することを特徴とする画像診断装置。
【手続補正２】
【補正対象書類名】明細書
【補正対象項目名】００３６
【補正方法】変更
【補正の内容】
【００３６】
記録部３０の電源を入れると自動的に記録プログラム３４が起動し、操作画面がモニタ３１に表示される（ステップＳ６０１、Ｓ６０２）。操作画面７００には、図７に示すように、検査中の被検者の被検者番号７０１、透視像あるいは内視鏡像を映し出す主画面７０２、内視鏡像あるいは透視像を映し出す副画面７０３、録画開始を指示するアイコン７０４、時間記録開始を指示するアイコン（マーキングボタン）７０５が表示されている。マーキングボタン７０５は、何らかの動作や操作がなされていることを入力するために画面に表示されるアイコンであり、透視が継続する間、表示される。
【手続補正３】
【補正対象書類名】明細書
【補正対象項目名】００４５
【補正方法】変更
【補正の内容】
【００４５】
ステップＳ９０４の映像信号と音声信号の記録中に、撮像部１０や画像処理部２０で何らかの操作が行なわれると、その操作内容とともに操作の開始及び終了の時刻が撮像部１０や画像処理部２０から記録部３０（主制御部）に送られる（ステップＳ９１０）。例えば、画像処理部２０の入力装置（ＧＵＩ）を介してＸ線管の管電圧等の透視条件の変更を指示すると、入力装置から画像処理部２０に送られる指示内容と同じ情報が、変更指示の時刻とともに記録部３０に送られ、メモリ３９の操作内容記録ファイルに記録される（ステップＳ９１１）。或いは画像処理部２０が画像処理に用いるフィルタの変更をＧＵＩを介して指示した場合には、その情報は変更指示がなされた時刻とともに記録部３０のメモリの操作内容記録ファイルに記録される。
【手続補正４】
【補正対象書類名】明細書
【補正対象項目名】００５２
【補正方法】変更
【補正の内容】
【００５２】
１０・・・撮像部、２０・・・画像処理部、３０・・・記録部、３１・・・モニタ、３４・・・記録プログラム、３６・・・ビデオコンバータ、３７・・・音声ミキサー、３８・・・キャプチャー、３９・・・メモリ、４１、４２・・・マイク、５０・・・カメラ、６０・・・外部記録装置。
【手続補正書】
【提出日】平成24年3月22日(2012.3.22)
【手続補正１】
【補正対象書類名】特許請求の範囲
【補正対象項目名】請求項８
【補正方法】変更
【補正の内容】
【請求項８】
前記永久磁石モータの回転数を検知する回転数検知手段を備え、
前記着磁量制御手段は、前記回生ブレーキが作用している場合に、前記回転数検知手段により検知される回転数が所定の閾値以下になると、前記永久磁石を増磁状態にすることを特徴とする請求項６又は７記載の洗濯機。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
第１の積載手段と、第２の積載手段とを含む複数の積載手段の少なくとも１つから供給された記録材を用いて印刷処理を実行する印刷手段を制御する画像制御装置であって、
前記複数の積載手段のうち、何れかの積載手段に記録材が補給された動作を検知する検知手段と、
前記印刷手段が前記第１の積載手段から供給された記録材を用いて印刷処理を実行している間に、前記第２の積載手段への補給の前記動作が発生したことを前記検知手段が検知すると、前記複数の積載手段の中から何れかの積載手段をユーザによって選択するための選択画面を表示する表示手段と、
前記選択画面を介して前記ユーザによって選択された積載手段から供給された記録材を用いることによって前記印刷処理を継続するように前記印刷手段を制御する制御手段と
を備えることを特徴とする画像制御装置。
【請求項２】
前記表示手段は、
前記ユーザが他の積載手段から前記第２の積載手段を区別することができるように前記選択画面を表示することを特徴とする請求項１に記載の画像制御装置。
【請求項３】
前記表示手段は、
前記第２の積載手段に補給された記録材の種別及びサイズが前記第１の積載手段から供給される記録材の種別及びサイズと一致する場合に、前記選択画面を表示することを特徴とする請求項１に記載の画像制御装置。
【請求項４】
前記制御手段は、
前記第１の積載手段から供給された記録材を用いて実行される印刷処理が前記表示手段が前記選択画面を表示した後に終了すると、前記選択画面の表示を削除するように前記表示手段を制御することを特徴とする請求項１に記載の画像制御装置。
【請求項５】
前記制御手段は、
前記表示手段が前記選択画面を表示してから所定の期間が経過しても前記第２の積載手段が選択されない場合に、前記第１の積載手段から供給された記録材を用いて実行されている前記印刷処理を前記第１の積載手段に積載された記録材を用いて継続するよう前記印刷手段を制御することを特徴とする請求項１に記載の画像制御装置。
【請求項６】
前記複数の積載手段には、大量の記録材を積載する大容量積載手段と、該大容量積載手段よりも積載量の少ない通常積載手段とが含まれ、
前記表示手段は、
前記大容量積載手段に記録材が補給された動作が検知された際に、前記選択画面を表示することを特徴とする請求項１に記載の画像制御装置。
【請求項７】
前記制御手段は、
前記第２の積載手段が選択されると、前記印刷処理を実行する次のコピーから、前記第１の積載手段から供給された記録材を用いて実行されている印刷処理を前記第２の積載手段に積載された記録材を用いて継続させるよう前記印刷手段を制御することを特徴とする請求項１に記載の画像制御装置。
【請求項８】
第１の積載手段と、第２の積載手段とを含む複数の積載手段の少なくとも１つから供給された記録材を用いて印刷処理を実行する印刷手段を制御する画像制御装置の制御方法であって、
検知手段が、前記複数の積載手段のうち、何れかの積載手段に記録材が補給された動作を検知する検知ステップと、
表示手段が、前記印刷手段が前記第１の積載手段から供給された記録材を用いて印刷処理を実行している間に、前記第２の積載手段への補給の前記動作が発生したことを前記検知手段が検知すると、前記複数の積載手段の中から何れかの積載手段をユーザによって選択するための選択画面を表示する表示ステップと、
制御手段が、前記選択画面を介して前記ユーザによって選択された積載手段から供給された記録材を用いることによって前記印刷処理を継続するように前記印刷手段を制御する制御ステップと
を実行することを特徴とする画像制御装置の制御方法。
【請求項９】
前記動作は、前記積載手段のドアを閉じる動作であることを特徴とする請求項８に記載の制御方法。
【請求項１０】
第１の積載手段と、第２の積載手段とを含む複数の積載手段の少なくとも１つから供給された記録材を用いて印刷処理を実行する印刷手段を制御する画像制御装置であって、
前記複数の積載手段のうち、何れかの積載手段に記録材が補給された動作を検知する検知手段と、
前記印刷手段が前記第１の積載手段から供給された記録材を用いて印刷処理を実行している間に、前記第２の積載手段への補給の前記動作が発生したことを前記検知手段が検知すると、前記第２の積載手段から供給された記録材を用いることによって前記印刷処理を継続するように前記印刷手段を制御する制御手段と
を備えることを特徴とする画像制御装置。
【請求項１１】
前記印刷手段が前記第２の積載手段から供給された記録材を用いて前記印刷処理を継続してもよいか否かのユーザ確認を行うための確認画面を表示する表示手段をさらに備えることを特徴とする請求項１０に記載の画像制御装置。
【請求項１２】
前記動作は、前記積載手段のドアを閉じる動作であることを特徴とする請求項１０に記載の画像制御装置。
【請求項１３】
第１の積載手段と、第２の積載手段とを含む複数の積載手段の少なくとも１つから供給された記録材を用いて印刷処理を実行する印刷手段を制御する画像制御装置の制御方法であって、
検知手段が、前記複数の積載手段のうち、何れかの積載手段に記録材が補給された動作を検知する検知ステップと、
制御手段が、前記印刷手段が前記第１の積載手段から供給された記録材を用いて印刷処理を実行している間に、前記第２の積載手段への補給の前記動作が発生したことを前記検知手段が検知すると、前記第２の積載手段から供給された記録材を用いることによって前記印刷処理を継続するように前記印刷手段を制御する制御ステップと
を実行することを特徴とする画像制御装置の制御方法。
【手続補正２】
【補正対象書類名】明細書
【補正対象項目名】発明の名称
【補正方法】変更
【補正の内容】
【発明の名称】画像制御装置、及び画像制御装置の制御方法
【手続補正３】
【補正対象書類名】明細書
【補正対象項目名】０００１
【補正方法】変更
【補正の内容】
【０００１】
本発明は、画像制御装置、及び画像制御装置の制御方法に関するものである。
【手続補正４】
【補正対象書類名】明細書
【補正対象項目名】０００６
【補正方法】変更
【補正の内容】
【０００６】
本発明は、例えば、第１の積載手段と、第２の積載手段とを含む複数の積載手段の少なくとも１つから供給された記録材を用いて印刷処理を実行する印刷手段を制御する画像制御装置であって、前記複数の積載手段のうち、何れかの積載手段に記録材が補給された動作を検知する検知手段と、前記印刷手段が前記第１の積載手段から供給された記録材を用いて印刷処理を実行している間に、前記第２の積載手段への補給の前記動作が発生したことを前記検知手段が検知すると、前記複数の積載手段の中から何れかの積載手段をユーザによって選択するための選択画面を表示する表示手段と、前記選択画面を介して前記ユーザによって選択された積載手段から供給された記録材を用いることによって前記印刷処理を継続するように前記印刷手段を制御する制御手段とを備えることを特徴とする。
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
透明な基板の光入出射面のうち少なくとも１面に反射防止膜を形成した光学素子であって、該光学素子の側端のコバ部は粗面より成り、該粗面の上に使用波長域で実質透明な皮膜を一層以上形成した下地層と、該下地層の上に使用波長において実質不透明な塗膜が形成されていることを特徴とする光学素子。
【請求項２】
前記光学素子のコバ部の粗面の表面粗さｒｍｓは
５μｍ＜ｒｍｓ＜２０μｍ
なる条件を満足することを特徴とする請求項１に記載の光学素子。
【請求項３】
前記下地層の厚さＤは、
０．１ｎｍ＜Ｄ＜１００ｎｍ
なる条件を満足することを特徴とする請求項１又は２に記載の光学素子。
【請求項４】
前記下地層の少なくとも１つの皮膜はシランカップリング剤より成ることを特徴とする請求項１乃至３のいずれか１項に記載の光学素子。
【請求項５】
前記透明な基板はアルカリ金属を１％以上含有することを特徴とする請求項１乃至４のいずれか１項に記載の光学素子。
【請求項６】
前記塗膜は、樹脂および使用波長域において、不透明成分を含有し、さらに添加剤又は硬化剤のうち、少なくとも一方を含有することを特徴とする請求項１乃至５のいずれか１項に記載の光学素子。
【請求項７】
前記塗膜は、形成後に温水処理および樹脂軟化点の焼成工程を介して形成されたものであることを特徴とする請求項１乃至６のいずれか１項に記載の光学素子。
【請求項８】
前記不透明成分は、コールタール，コールタールピッチ，染料，顔料，不透明微粒子のうち，いずれか一つ以上を含有することを特徴とする請求項６に記載の光学素子。
【請求項９】
前記塗膜は、黒色顔料又は黒色染料の少なくとも１つを含有することを特徴とする請求項１乃至７のいずれか一項に記載の光学素子。
【請求項１０】
請求項１乃至９のいずれか１項に記載の光学素子を、一以上有していることを特徴とする光学系。
【手続補正２】
【補正対象書類名】明細書
【補正対象項目名】００１９
【補正方法】変更
【補正の内容】
【００１９】
本実施例では、下地層７としてシランカップリング剤より成る皮膜を使用したが、下地層７の種類については、本実施例においてはどのようなものでも良い。例えばポリシロキ酸、アクリル樹脂、エポキシ樹脂など、使用波長において実質的に透明であれば特に限定されるものではない。本実施例では、光学素子１の形状として、メニスカス形状のレンズを例にとり示したが、本実施例はこの形状に限定されるものではない。例えば両凹形状のレンズ，両凸形状のレンズ，平凸形状のレンズ，平凹形状のレンズ，メニスカス形状の正レンズ，非球面レンズ，自由曲面レンズでも良い。又プリズムなど、どんな形状の光学素子でも良い。これは以下の実施例においても同様である。
【手続補正３】
【補正対象書類名】明細書
【補正対象項目名】００２３
【補正方法】変更
【補正の内容】
【００２３】
図２では，塗膜２８，保護膜２９ともデフォルメされ，非常に厚く描かれているが，塗膜２８と保護膜２９の実際の厚さは各々１〜１００μｍ程度である。また，保護膜２９は，塗膜２８の端部も含め全体を覆うように形成するのが望ましい。非光線有効部であるコバ部２３の内面反射防止用の下地層２７、塗膜２８を形成後、光線有効部のレンズ面２２ｂに微細凹凸形状の構造部を有する反射防止構造体２５を形成した。反射防止構造体２５の形成方法は次のとおりである。光線有効部のレンズ面２２ｂを純粋リンス，アルコールで洗浄し、レンズ面２２ｂを上向きに真空チャック式の回転ステージに載せた。光学素子２１の光線有効部のレンズ面２２ｂの中央に酸化アルミニウムを含有する塗布液を適量滴下し、３０００ｒｐｍで３０秒間回転させ、１００℃以上のオーブンで３０分以上かけて焼成した。ここでは、スピン塗工条件を約３０００ｒｐｍで３０秒間程度としたが、本実施例はこれに限定するものではなく、所望の膜厚を得るために塗工条件を変えても構わない。また，スピンコート法に限らず，ディップコート法、スプレーコート法などを用いても良い。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
シートを引き込み、前後の向きを反転させる反転部を備えたシート搬送装置において、
前記反転部は、
正転によりシートを反転させる反転位置までシートを引き込み、逆転により引き込んだシートを前後の向きを反転させて搬送する正逆転可能なシート反転搬送部材と、
前記シート反転搬送部材の正転時、前記シート反転搬送部材の正転駆動量に応じて前記シート反転搬送部材を逆転させるための逆転駆動力を弾性的に蓄える蓄力部材と、
前記シート反転搬送部材及び前記蓄力部材の間に配置され、前記シート反転搬送部材の正転時には前記シート反転搬送部材の正転駆動量を前記蓄力部材に伝達し、前記シート反転搬送部材を逆転させる際には、前記蓄力部材に蓄えられた逆転駆動力を前記シート反転搬送部材に伝達する駆動力伝達部と、を備え、
前記駆動力伝達部は、前記シート反転搬送部材の正転時、前記蓄力部材が所定量の逆転駆動力を蓄えた後は、前記蓄力部材に蓄えられた所定量の逆転駆動力を保つように構成されていることを特徴とするシート搬送装置。
【請求項２】
前記シート反転搬送部材を正転させる駆動源と、
前記シート反転搬送部材及び前記駆動源の間に設けられ、シートを引き込む際、前記駆動源の駆動を選択的に前記シート反転搬送部材に伝達する駆動伝達切り替え部材と、
前記シート反転搬送部材の正転によって搬送されたシートの後端を検知する後端検知部と、を備え、
前記シート反転搬送部材を逆転させる際には、前記蓄力部材に蓄えられた前記逆転駆動力を解放するように、前記後端検知部からの信号に基づき、前記駆動伝達切り替え部材による前記シート反転搬送部材に対する前記駆動源の駆動伝達を切断することを特徴とする請求項１記載のシート搬送装置。
【請求項３】
前記駆動力伝達部は、
前記シート反転搬送部材と一体に回転する駆動歯車と、
前記駆動歯車の回転に伴って前記蓄力部材に正転駆動量を伝達する蓄力用歯車と、
前記駆動歯車及び前記蓄力用歯車の間に設けられ、前記シート反転搬送部材の正転時には前記シート反転搬送部材の正転駆動量を前記蓄力用歯車に伝達し、前記シート反転搬送部材を逆転させる際には、前記蓄力部材に蓄えられた逆転駆動力による前記蓄力用歯車の回転を前記駆動歯車に伝達する伝達歯車と、を備え、
前記駆動歯車、前記伝達歯車及び前記蓄力用歯車を介して、前記シート反転搬送部材の正転時には、前記シート反転搬送部材の正転駆動量を前記蓄力部材に伝達し、前記シート反転搬送部材を逆転させる際には、前記蓄力部材に蓄えられた逆転駆動力を伝達することを特徴とする請求項１又は２記載のシート搬送装置。
【請求項４】
前記シート反転搬送部材の、前後の向きを反転させた後の搬送方向下流側に設けられ、前記シート反転搬送部材により前後の向きを反転させて送り出されたシートを前記シート反転搬送部材と共に搬送するシート搬送部材を備え、
前記伝達歯車は、前記蓄力部材の逆転駆動力解放後、前記シート搬送部材によって搬送されるシートにより前記シート反転搬送部材が逆転を続けた場合には、前記シート反転搬送部材から前記蓄力用歯車への駆動伝達を切断する位置に移動可能に設けられていることを特徴とする請求項３記載のシート搬送装置。
【請求項５】
前記蓄力用歯車は、前記シート反転搬送部材の正転時、前記蓄力部材が所定量の逆転駆動力を蓄えた後は、前記シート反転搬送部材が正転を続けても回転しないように構成されていることを特徴とする請求項３又は４記載のシート搬送装置。
【請求項６】
前記蓄力部材は、一端部が前記蓄力用歯車に係止されると共に他端部が固定され、前記蓄力用歯車の回転に伴って前記一端部と前記他端部の成す角度が広がるように配された弾性部材であり、
前記弾性部材を、前記シート反転搬送部材の正転時、前記所定量の逆転駆動力を蓄えた後は、前記一端部と前記他端部の成す角度が、前記シート反転搬送部材が正転を続けても一定となるように構成することを特徴とする請求項３ないし５のいずれか１項に記載のシート搬送装置。
【請求項７】
前記蓄力用歯車に前記弾性部材の一端部が係止される複数の係止片を同心円状に設け、
前記弾性部材が所定量の逆転駆動力を蓄えた後は、前記蓄力用歯車の回転に伴い、前記弾性部材の一端部が、前記蓄力用歯車の回転方向と逆方向に移動しながら異なる係止片に順次係止するように構成したことを特徴とする請求項６記載のシート搬送装置。
【請求項８】
前記一端部と前記他端部の成す角度が、前記シート反転搬送部材が正転を続けても一定となるように前記蓄力用歯車と前記弾性部材との間にトルクリミッタを設けたことを特徴とする請求項６記載のシート搬送装置。
【請求項９】
画像形成部と、前記画像形成部により画像が形成されたシートを引き込み、前後の向きを反転させて搬送する請求項１ないし８のいずれか１項に記載のシート搬送装置と、を備えたことを特徴とする画像形成装置。
【手続補正２】
【補正対象書類名】明細書
【補正対象項目名】０００９
【補正方法】変更
【補正の内容】
【０００９】
本発明は、シートを引き込み、前後の向きを反転させる反転部を備えたシート搬送装置において、前記反転部は、正転によりシートを反転させる反転位置までシートを引き込み、逆転により引き込んだシートを前後の向きを反転させて搬送する正逆転可能なシート反転搬送部材と、前記シート反転搬送部材の正転時、前記シート反転搬送部材の正転駆動量に応じて前記シート反転搬送部材を逆転させるための逆転駆動力を弾性的に蓄える蓄力部材と、前記シート反転搬送部材及び前記蓄力部材の間に配置され、前記シート反転搬送部材の正転時には前記シート反転搬送部材の正転駆動量を前記蓄力部材に伝達し、前記シート反転搬送部材を逆転させる際には、前記蓄力部材に蓄えられた逆転駆動力を前記シート反転搬送部材に伝達する駆動力伝達部と、を備え、前記駆動力伝達部は、前記シート反転搬送部材の正転時、前記蓄力部材が所定量の逆転駆動力を蓄えた後は、前記蓄力部材に蓄えられた所定量の逆転駆動力を保つように構成されていることを特徴とするものである。